(57)【要約】【課題】本発明は、簡単な構成を用いて高いセキュリティのもとでコンテンツを共有するための技術を提供することを目的とする。【解決手段】本発明は、閲覧装置２が、認証サーバ１に対し、コンテンツの閲覧を要求する閲覧要求ステップと、認証サーバ１が、閲覧装置２又は携帯電話３に対し、コンテンツの閲覧を求める認証を要求する認証要求ステップと、携帯電話３が、認証サーバ１に対し、コンテンツの閲覧を求める認証を行う認証実行ステップと、コンテンツの閲覧を求める認証が成功したときに、認証サーバ１が、閲覧装置２に対し、コンテンツの閲覧を許可する閲覧許可ステップと、を順に備えることを特徴とする閲覧認証方法である。【選択図】図１
2012108780.tif 000002
【特許請求の範囲】
【請求項１】
携帯電話が、コンテンツの閲覧可否を判断する認証サーバに対し、前記コンテンツを閲覧する閲覧装置での前記コンテンツの閲覧を求める認証を行う認証実行ステップと、
前記コンテンツの閲覧を求める認証が成功したときに、前記認証サーバが、前記閲覧装置に対し、前記コンテンツの閲覧を許可する閲覧許可ステップと、
を順に備えることを特徴とする閲覧認証方法。
【請求項２】
前記閲覧装置が、前記認証サーバに対し、前記コンテンツの閲覧を要求する閲覧要求ステップと、
前記認証サーバが、前記閲覧装置又は前記携帯電話に対し、前記コンテンツの閲覧を求める認証を要求する認証要求ステップと、
を前記認証実行ステップの前に順に備えることを特徴とする、請求項１に記載の閲覧認証方法。
【請求項３】
前記携帯電話が、前記認証サーバに対し、前記コンテンツの閲覧を要求する閲覧要求ステップと、
前記認証サーバが、前記携帯電話に対し、前記コンテンツの閲覧を求める認証を要求する認証要求ステップと、
を前記認証実行ステップの前に順に備えることを特徴とする、請求項１に記載の閲覧認証方法。
【請求項４】
前記コンテンツは、前記コンテンツの閲覧者と異なる前記コンテンツの登録者により登録されており、
前記コンテンツの閲覧を求める認証が成功したときに、前記認証サーバが、前記コンテンツの登録者の携帯電話に対し、前記コンテンツの閲覧の可否を確認する閲覧確認ステップと、
前記コンテンツの登録者の携帯電話が、前記認証サーバに対し、前記コンテンツの閲覧の可否を通知する閲覧通知ステップと、
を前記認証実行ステップ及び前記閲覧許可ステップの間に順に備え、
前記閲覧許可ステップでは、前記コンテンツの閲覧の許可が通知されたときに、前記認証サーバが、前記閲覧装置に対し、前記コンテンツの閲覧を許可することを特徴とする、請求項１から請求項３に記載のいずれかの閲覧認証方法。
【請求項５】
前記コンテンツは、前記コンテンツの閲覧者と異なる前記コンテンツの登録者により登録されており、
前記コンテンツの登録者の携帯電話が、前記認証サーバに対し、前記閲覧装置での前記コンテンツの閲覧を許可する旨の登録を要求する登録要求ステップと、
前記認証サーバが、前記コンテンツの登録者の携帯電話に対し、前記コンテンツの閲覧を許可する旨の登録を求める認証を要求する登録者認証要求ステップと、
前記コンテンツの登録者の携帯電話が、前記認証サーバに対し、前記コンテンツの閲覧を許可する旨の登録を求める認証を行う登録者認証実行ステップと、
を前記閲覧要求ステップの前に順に備え、
前記閲覧許可ステップでは、前記閲覧装置での前記コンテンツの閲覧を許可する旨の登録に基づき、前記認証サーバが、前記閲覧装置に対し、前記コンテンツの閲覧を許可することを特徴とする、請求項１から請求項３に記載のいずれかの閲覧認証方法。
【請求項６】
前記コンテンツは、暗号化されており、
前記認証実行ステップでは、前記携帯電話は、前記認証サーバに対し、前記コンテンツの閲覧を求める認証を行うとともに、暗号化された前記コンテンツを復号化するパスワードを送信することを特徴とする、請求項１に記載の閲覧認証方法。
【請求項７】
前記コンテンツは、暗号化されており、
前記閲覧通知ステップでは、前記コンテンツの登録者の携帯電話は、前記認証サーバに対し、前記コンテンツの閲覧の許可を通知するときに、暗号化された前記コンテンツを復号化するパスワードを送信することを特徴とする、請求項４に記載の閲覧認証方法。
【請求項８】
コンテンツの登録者の携帯電話が、前記コンテンツの閲覧可否を判断する認証サーバに対し、前記コンテンツを閲覧する閲覧装置での前記コンテンツの閲覧を許可する旨の登録を要求する登録要求ステップと、
前記認証サーバが、前記コンテンツの登録者の携帯電話に対し、前記コンテンツの閲覧を許可する旨の登録を求める認証を要求する登録者認証要求ステップと、
前記コンテンツの登録者の携帯電話が、前記認証サーバに対し、前記コンテンツの閲覧を許可する旨の登録を求める認証を行う登録者認証実行ステップと、
前記コンテンツの閲覧を許可する旨の登録を求める認証が成功したときに、前記認証サーバが、前記閲覧装置での前記コンテンツの閲覧を許可する旨の登録を実行し、前記閲覧装置での前記コンテンツの閲覧を許可する閲覧許可ステップと、
を順に備えることを特徴とする閲覧認証方法。
【請求項９】
スキャナが、文書の属性情報を示すコードが付された透明ケースに前記文書が格納された状態で、前記文書及び前記コードを画像データに変換する画像変換ステップと、
前記文書の画像データの格納を承認する認証サーバが、前記文書及び前記コードの画像データから前記コードの画像を識別し、識別した前記コードの画像から前記文書の属性情報を抽出し、抽出した前記文書の属性情報を前記文書の画像データの属性情報として設定する属性情報設定ステップと、
を順に備えることを特徴とする文書の格納方法。
【請求項１０】
前記画像変換ステップでは、スキャナが、前記文書の更新の度に変更される属性情報を示すコードが前記文書に付された状態で、前記文書及び前記コードを画像データに変換することを特徴とする、請求項９に記載の文書の格納方法。
【請求項１１】
前記認証サーバが、前記文書の画像データに設定された属性情報及び前記文書の属性情報が一致するときに、前記文書の画像データの格納を承認する格納認証ステップ、
を前記属性情報設定ステップの後にさらに備えることを特徴とする、請求項９又は請求項１０に記載の文書の格納方法。
【請求項１２】
前記認証サーバが、前記文書の画像データに設定された属性情報に基づいて、更新前の前記文書の画像データを検索し、更新後の前記文書の画像データを更新前の前記文書の画像データに追加する文書追加ステップ、
を前記属性情報設定ステップの後にさらに備えることを特徴とする、請求項９又は請求項１０に記載の文書の格納方法。
【請求項１３】
前記認証サーバが、前記文書の画像データに設定された属性情報に基づいて、更新前の前記文書の画像データを検索し、更新後の前記文書の画像データを更新前の前記文書の画像データに追加する文書追加ステップ、
を前記格納認証ステップの後にさらに備えることを特徴とする、請求項１１に記載の文書の格納方法。
【発明の詳細な説明】
【技術分野】
【０００１】
本発明は、簡単な構成を用いて高いセキュリティのもとでコンテンツを共有するための閲覧認証方法、及び簡単な構成を用いて文書を画像データに変換し画像データを格納するための文書の格納方法に関する。
【背景技術】
【０００２】
コンテンツを共有するための技術が開発されている。例えば、複数の医療機関の間で電子カルテを共有するための技術が開発されている。特許文献１では、医療情報開示制御装置は、医療情報閲覧制御装置に、暗号化された情報を送信し、医療情報閲覧制御装置は、暗号化された情報の所有者本人の許可に基づく復号鍵で、暗号化された情報を復号化する。特許文献２では、開示手続実行部は、個人情報の開示依頼がされたときに、当該個人に開示依頼を通知し、当該個人の開示承認がされたときに、依頼元に個人情報を開示する。
【０００３】
また、文書を画像データに変換し画像データを格納するための技術が開発されている。例えば、手書きカルテを電子カルテに変換し電子カルテを格納するための技術が開発されている。特許文献３の医療管理装置では、識別情報印字手段が、紙文書に識別情報を印字し、取込手段が、紙文書の内容情報及び印字した識別情報を取り込み、関連付手段が、内容情報及び電子カルテを識別情報に基づいて関連付けて保存する。
【先行技術文献】
【特許文献】
【０００４】
【特許文献１】特開２００５−２８４７０３号公報
【特許文献２】特開２００２−１９７１８６号公報
【特許文献３】特開２００９−２０５４７７号公報
【発明の概要】
【発明が解決しようとする課題】
【０００５】
しかし、特許文献１及び特許文献２では、閲覧及び認証はともにコンピュータで行われるが、コンピュータはなりすましが容易であるため、高いセキュリティのもとでコンテンツを共有することができなかった。そして、複数の医療機関の間で電子カルテを共有するための技術は、大規模な医療機関の間において独自の高価な構成を適用されているため、小規模な医療機関の間において適用されにくかった。
【０００６】
また、従来技術の画像データの格納方法及び特許文献３の医療管理装置では、文書を画像データに変換するときに、ユーザが画像データのファイル名を入力する必要があった。そして、ユーザが更新前の文書を検索し、更新後の文書を追加する必要があった。よって、手書き文書に慣れているがコンピュータやキーボードに慣れていないユーザは、文書を画像データに変換し画像データを格納することに不便を感じていた。
【０００７】
そこで、前記課題を解決するために、本発明は、簡単な構成を用いて高いセキュリティのもとでコンテンツを共有するための技術を提供することを目的とする。
【０００８】
また、前記課題を解決するために、本発明は、簡単な構成を用いて文書を画像データに変換し画像データを格納するための技術を提供することを目的とする。
【課題を解決するための手段】
【０００９】
上記目的を達成するために、閲覧は閲覧装置で行うが、認証は閲覧装置で行わず閲覧装置と関連付けられた携帯電話で行う。携帯電話はなりすましが困難である。認証サーバは、携帯電話の認証が成功したときに、閲覧装置に対し閲覧を許可することとした。
【００１０】
具体的には、本発明は、携帯電話が、コンテンツの閲覧可否を判断する認証サーバに対し、前記コンテンツを閲覧する閲覧装置での前記コンテンツの閲覧を求める認証を行う認証実行ステップと、前記コンテンツの閲覧を求める認証が成功したときに、前記認証サーバが、前記閲覧装置に対し、前記コンテンツの閲覧を許可する閲覧許可ステップと、を順に備えることを特徴とする閲覧認証方法である。
【００１１】
この構成によれば、なりすましが困難で広く普及する携帯電話を用いて認証を行うため、簡単な構成を用いて高いセキュリティのもとでコンテンツを共有することができる。
【００１２】
また、本発明は、前記閲覧装置が、前記認証サーバに対し、前記コンテンツの閲覧を要求する閲覧要求ステップと、前記認証サーバが、前記閲覧装置又は前記携帯電話に対し、前記コンテンツの閲覧を求める認証を要求する認証要求ステップと、を前記認証実行ステップの前に順に備えることを特徴とする閲覧認証方法である。
【００１３】
この構成によれば、閲覧装置が閲覧要求を行った場合であっても、携帯電話を用いてセキュリティの高い認証を行うことができる。
【００１４】
また、本発明は、前記携帯電話が、前記認証サーバに対し、前記コンテンツの閲覧を要求する閲覧要求ステップと、前記認証サーバが、前記携帯電話に対し、前記コンテンツの閲覧を求める認証を要求する認証要求ステップと、を前記認証実行ステップの前に順に備えることを特徴とする閲覧認証方法である。
【００１５】
この構成によれば、閲覧装置が利用者の手元にない場合であっても、携帯電話を用いてセキュリティの高い認証を行うことができる。
【００１６】
また、本発明は、前記コンテンツは、前記コンテンツの閲覧者と異なる前記コンテンツの登録者により登録されており、前記コンテンツの閲覧を求める認証が成功したときに、前記認証サーバが、前記コンテンツの登録者の携帯電話に対し、前記コンテンツの閲覧の可否を確認する閲覧確認ステップと、前記コンテンツの登録者の携帯電話が、前記認証サーバに対し、前記コンテンツの閲覧の可否を通知する閲覧通知ステップと、を前記認証実行ステップ及び前記閲覧許可ステップの間に順に備え、前記閲覧許可ステップでは、前記コンテンツの閲覧の許可が通知されたときに、前記認証サーバが、前記閲覧装置に対し、前記コンテンツの閲覧を許可することを特徴とする閲覧認証方法である。
【００１７】
この構成によれば、コンテンツの閲覧者側が閲覧の要求を認証サーバに行った後に、コンテンツの登録者側が閲覧の可否を認証サーバに通知し、コンテンツの閲覧者側及び登録者側の間で高いセキュリティのもとでコンテンツを共有することができる。
【００１８】
また、本発明は、前記コンテンツは、前記コンテンツの閲覧者と異なる前記コンテンツの登録者により登録されており、前記コンテンツの登録者の携帯電話が、前記認証サーバに対し、前記閲覧装置での前記コンテンツの閲覧を許可する旨の登録を要求する登録要求ステップと、前記認証サーバが、前記コンテンツの登録者の携帯電話に対し、前記コンテンツの閲覧を許可する旨の登録を求める認証を要求する登録者認証要求ステップと、前記コンテンツの登録者の携帯電話が、前記認証サーバに対し、前記コンテンツの閲覧を許可する旨の登録を求める認証を行う登録者認証実行ステップと、を前記閲覧要求ステップの前に順に備え、前記閲覧許可ステップでは、前記閲覧装置での前記コンテンツの閲覧を許可する旨の登録に基づき、前記認証サーバが、前記閲覧装置に対し、前記コンテンツの閲覧を許可することを特徴とする閲覧認証方法である。
【００１９】
この構成によれば、コンテンツの閲覧者側が閲覧の要求を認証サーバに行う前に、コンテンツの登録者側が閲覧の許可を認証サーバに通知し、コンテンツの閲覧者側及び登録者側の間で高いセキュリティのもとでコンテンツを共有することができる。
【００２０】
また、本発明は、前記コンテンツは、暗号化されており、前記認証実行ステップでは、前記携帯電話は、前記認証サーバに対し、前記コンテンツの閲覧を求める認証を行うとともに、暗号化された前記コンテンツを復号化するパスワードを送信することを特徴とする閲覧認証方法である。
【００２１】
この構成によれば、コンテンツを格納する装置や閲覧装置が不正にアクセスされる可能性があっても、高いセキュリティのもとでコンテンツを共有することができる。
【００２２】
また、本発明は、前記コンテンツは、暗号化されており、前記閲覧通知ステップでは、前記コンテンツの登録者の携帯電話は、前記認証サーバに対し、前記コンテンツの閲覧の許可を通知するときに、暗号化された前記コンテンツを復号化するパスワードを送信することを特徴とする閲覧認証方法である。
【００２３】
この構成によれば、コンテンツを格納する装置や閲覧装置が不正にアクセスされる可能性があっても、高いセキュリティのもとでコンテンツを共有することができる。
【００２４】
また、本発明は、コンテンツの登録者の携帯電話が、前記コンテンツの閲覧可否を判断する認証サーバに対し、前記コンテンツを閲覧する閲覧装置での前記コンテンツの閲覧を許可する旨の登録を要求する登録要求ステップと、前記認証サーバが、前記コンテンツの登録者の携帯電話に対し、前記コンテンツの閲覧を許可する旨の登録を求める認証を要求する登録者認証要求ステップと、前記コンテンツの登録者の携帯電話が、前記認証サーバに対し、前記コンテンツの閲覧を許可する旨の登録を求める認証を行う登録者認証実行ステップと、前記コンテンツの閲覧を許可する旨の登録を求める認証が成功したときに、前記認証サーバが、前記閲覧装置での前記コンテンツの閲覧を許可する旨の登録を実行し、前記閲覧装置での前記コンテンツの閲覧を許可する閲覧許可ステップと、を順に備えることを特徴とする閲覧認証方法である。
【００２５】
この構成によれば、コンテンツの登録者側は、なりすましが困難で広く普及する携帯電話を用いて、コンテンツの閲覧者を登録する。ただし、コンテンツの閲覧者側は、コンテンツの閲覧を認証サーバに要求するなどの特別な処理を行う必要はない。よって、閲覧装置がファックス装置などのなりすましが困難な端末であるときには、より簡単な構成を用いて高いセキュリティのもとでコンテンツを共有することができる。
【００２６】
また、上記目的を達成するために、まず、文書の属性情報を示すコードが付された透明ケースを準備することとした。次に、透明ケースに文書が格納された状態で文書及びコードを画像データに変換し、コードの画像から文書の属性情報を抽出し、文書の属性情報を文書の画像データの属性情報として設定することとした。
【００２７】
具体的には、本発明は、スキャナが、文書の属性情報を示すコードが付された透明ケースに前記文書が格納された状態で、前記文書及び前記コードを画像データに変換する画像変換ステップと、前記文書の画像データの格納を承認する認証サーバが、前記文書及び前記コードの画像データから前記コードの画像を識別し、識別した前記コードの画像から前記文書の属性情報を抽出し、抽出した前記文書の属性情報を前記文書の画像データの属性情報として設定する属性情報設定ステップと、を順に備えることを特徴とする文書の格納方法である。
【００２８】
この構成によれば、文書を透明ケースに格納し、文書を透明ケースに格納した状態で、スキャン開始指示をスキャナに与えるのみでよい。よって、文書を画像データに変換するときに、画像データのファイル名を入力する必要がなくなる。そして、透明ケースを最初に準備すれば、透明ケースをその後使い回すことができる。さらに、透明ケースに付されたコードの位置は、文書の更新の度に変更されることはないため、コードの画像を自動的に識別することができ、コードの認識率を高めることができる。
【００２９】
また、本発明は、前記画像変換ステップでは、スキャナが、前記文書の更新の度に変更される属性情報を示すコードが前記文書に付された状態で、前記文書及び前記コードを画像データに変換することを特徴とする文書の格納方法である。
【００３０】
この構成によれば、文書の更新の度に変更される更新日付などの属性情報を示すコードを文書に付し、文書を透明ケースに格納し、文書を透明ケースに格納した状態で、スキャン開始指示をスキャナに与えるのみでよい。よって、文書を画像データに変換するときに、画像データのファイル名を入力する必要がなくなる。
【００３１】
また、本発明は、前記認証サーバが、前記文書の画像データに設定された属性情報及び前記文書の属性情報が一致するときに、前記文書の画像データの格納を承認する格納認証ステップ、を前記属性情報設定ステップの後にさらに備えることを特徴とする文書の格納方法である。
【００３２】
この構成によれば、属性情報が一致した状態で文書が透明ケースに格納されたかどうかを確認したうえで、画像データを格納することができる。
【００３３】
また、本発明は、前記認証サーバが、前記文書の画像データに設定された属性情報に基づいて、更新前の前記文書の画像データを検索し、更新後の前記文書の画像データを更新前の前記文書の画像データに追加する文書追加ステップ、を前記属性情報設定ステップの後にさらに備えることを特徴とする文書の格納方法である。
【００３４】
この構成によれば、認証サーバの自動処理を利用することにより、ユーザは、更新前の文書を検索し、更新後の文書を更新前の文書に追加する必要がなくなる。
【００３５】
また、本発明は、前記認証サーバが、前記文書の画像データに設定された属性情報に基づいて、更新前の前記文書の画像データを検索し、更新後の前記文書の画像データを更新前の前記文書の画像データに追加する文書追加ステップ、を前記格納認証ステップの後にさらに備えることを特徴とする文書の格納方法である。
【００３６】
この構成によれば、認証サーバの自動処理を利用することにより、ユーザは、更新前の文書を検索し、更新後の文書を更新前の文書に追加する必要がなくなる。
【発明の効果】
【００３７】
本発明は、簡単な構成を用いて高いセキュリティのもとでコンテンツを共有するための技術を提供することができる。
【００３８】
また、本発明は、簡単な構成を用いて文書を画像データに変換し画像データを格納するための技術を提供することができる。
【図面の簡単な説明】
【００３９】
【図１】実施形態１の閲覧認証方法を示す図である。
【図２】実施形態１の認証サーバの構成を示す図である。
【図３】実施形態２の閲覧認証方法を示す図である。
【図４】実施形態２の認証サーバの構成を示す図である。
【図５】実施形態３の閲覧認証方法を示す図である。
【図６】実施形態３の認証サーバの構成を示す図である。
【図７】実施形態４の閲覧認証方法を示す図である。
【図８】実施形態４の認証サーバの構成を示す図である。
【図９】実施形態５の閲覧認証方法を示す図である。
【図１０】実施形態５の認証サーバの構成を示す図である。
【図１１】実施形態６の閲覧認証方法を示す図である。
【図１２】実施形態６の認証サーバの構成を示す図である。
【図１３】実施形態７の閲覧認証方法を示す図である。
【図１４】実施形態７の認証サーバの構成を示す図である。
【図１５】文書を透明ケースに格納する方法を示す図である。
【図１６】画像データを格納する方法を示す図である。
【図１７】認証サーバの構成を示す図である。
【発明を実施するための形態】
【００４０】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００４１】
（実施形態１）
実施形態１の閲覧認証方法を図１に示す。実施形態１では、認証サーバ１は、コンテンツを格納しており、閲覧装置２は、認証サーバ１に対しコンテンツの閲覧を要求し、閲覧装置２ではなく携帯電話３が、認証サーバ１に対し認証を行う。コンテンツは、認証サーバ１に格納されていてもよく、認証サーバ１以外の装置に格納されていてもよい。
【００４２】
実施形態１の認証サーバの構成を図２に示す。認証サーバ１は、コンテンツ格納部１１、データ通信部１２、認証要求部１３及び閲覧認証部１４から構成される。コンテンツ格納部１１は、コンテンツを格納しており、データ通信部１２は、データ通信を行う。
【００４３】
認証要求部１３は、閲覧装置２から、コンテンツの閲覧を要求され、閲覧装置２又は携帯電話３に対し、コンテンツの閲覧を求める認証を要求する。そして、認証要求部１３は、携帯電話３から、コンテンツの閲覧を求める認証を行われる。ここで、認証サーバ１は、閲覧装置２から閲覧要求を受けたときに携帯電話３から認証を受けることができるように、閲覧装置２及び携帯電話３を関連付けている。閲覧認証部１４は、コンテンツの閲覧を求める認証が成功したときに、閲覧装置２に対し、コンテンツの閲覧を許可する。
【００４４】
実施形態１の以下の説明では、実施形態１を電子カルテシステムに適用し、医療機関Ａが認証サーバ１に電子カルテを登録した後に、医療機関Ａの看護婦が閲覧装置２を用いて閲覧を行うにあたり、医療機関Ａの看護婦が閲覧装置２を用いて閲覧要求を行い、医療機関Ａの医者が携帯電話３を用いて認証を行うものとする。
【００４５】
閲覧要求ステップでは、医療機関Ａの看護婦が、閲覧装置２において閲覧要求を出す。具体的には、閲覧装置２が、ユーザの指示を取得し、認証サーバ１に対し、コンテンツの閲覧を要求する（ステップＳ１）。認証要求ステップでは、認証要求部１３が、閲覧装置２又は携帯電話３に対し、コンテンツの閲覧を求める認証を要求する（ステップＳ２）。認証実行ステップでは、携帯電話３が、ユーザへの認証要求の通知後にユーザの指示を取得し、認証サーバ１に対し、コンテンツの閲覧を求める認証を行う（ステップＳ３）。
【００４６】
認証要求部１３が、閲覧装置２のみに対し認証を要求する第１の場合について説明する。まず、閲覧装置２を用いる看護婦は、携帯電話３を用いる医者に対し、認証を要求する。ここで、認証の要求は、口頭で行ってもよく、閲覧装置２から携帯電話３への無線通信で行ってもよい。次に、携帯電話３を用いる医者は、認証を行う。
【００４７】
認証要求部１３が、携帯電話３のみに対し認証を要求する第２の場合について説明する。第２の場合には、第１の場合の認証の要求は不要であり、携帯電話３を用いる医者は認証を行う。よって、携帯電話３を用いる医者が閲覧装置２を用いる看護婦から離れていても、看護婦が医者に連絡をとることなく医者は認証を行うことができる。
【００４８】
認証要求部１３が、閲覧装置２及び携帯電話３の両方に対し認証を要求する第３の場合について説明する。第３の場合には、第１の場合又は第２の場合と同様に、携帯電話３を用いる医者は認証を行うことができる。
【００４９】
閲覧許可ステップでは、コンテンツの閲覧を求める認証が成功したときに、閲覧認証部１４が、閲覧装置２に対し、コンテンツの閲覧を許可する。そして、閲覧認証部１４は、データ通信部１２に対しコンテンツの閲覧許可を通知し、データ通信部１２は、コンテンツ格納部１１からコンテンツを読み出し、閲覧装置２に対しコンテンツを送信する（ステップＳ４）。
【００５０】
実施形態１では、なりすましが困難で広く普及する携帯電話３を用いて認証を行うため、簡単な構成を用いて高いセキュリティのもとでコンテンツを共有することができる。そして、閲覧装置２が閲覧要求を行った場合であっても、携帯電話３を用いてセキュリティの高い認証を行うことができる。
【００５１】
実施形態１では、さらに、コンテンツは、暗号化されて格納されていてもよく、認証要求部１３は、携帯電話３から認証を行われるとともに、暗号化されたコンテンツを復号化するパスワードを受信してもよい。このときには、認証実行ステップでは、携帯電話３は、認証サーバ１に対し、コンテンツの閲覧を求める認証を行うとともに、暗号化されたコンテンツを復号化するパスワードを送信することとなる（ステップＳ３）。
【００５２】
実施形態１では、暗号化されたコンテンツを復号化するパスワードは、携帯電話３のみが格納しており、コンテンツを格納する装置や閲覧装置２は格納していない。よって、コンテンツを格納する装置や閲覧装置２が不正にアクセスされる可能性があっても、高いセキュリティのもとでコンテンツを共有することができる。
【００５３】
（実施形態２）
実施形態２の閲覧認証方法を図３に示す。実施形態２では、認証サーバ１は、コンテンツを格納しており、携帯電話３は、認証サーバ１に対しコンテンツの閲覧を要求し、携帯電話３が、認証サーバ１に対し認証を行う。コンテンツは、認証サーバ１に格納されていてもよく、認証サーバ１以外の装置に格納されていてもよい。
【００５４】
実施形態２の認証サーバの構成を図４に示す。認証サーバ１は、コンテンツ格納部１１、データ通信部１２、認証要求部１３及び閲覧認証部１４から構成される。コンテンツ格納部１１は、コンテンツを格納しており、データ通信部１２は、データ通信を行う。
【００５５】
認証要求部１３は、携帯電話３から、コンテンツの閲覧を要求され、携帯電話３に対し、コンテンツの閲覧を求める認証を要求する。そして、認証要求部１３は、携帯電話３から、コンテンツの閲覧を求める認証を行われる。ここで、認証サーバ１は、携帯電話３から閲覧要求を受けたときに閲覧装置２に閲覧許可を送ることができるように、閲覧装置２及び携帯電話３を関連付けている。閲覧認証部１４は、コンテンツの閲覧を求める認証が成功したときに、閲覧装置２に対し、コンテンツの閲覧を許可する。
【００５６】
実施形態２の以下の説明では、実施形態２を電子カルテシステムに適用し、医療機関Ａが認証サーバ１に電子カルテを登録した後に、医療機関Ａの医者が閲覧装置２を用いて閲覧を行うにあたり、医療機関Ａの医者が携帯電話３を用いて閲覧要求を行い、医療機関Ａの医者が携帯電話３を用いて認証を行うものとする。
【００５７】
閲覧要求ステップでは、医療機関Ａの医者が、携帯電話３において閲覧要求を出す。具体的には、携帯電話３が、ユーザの指示を取得し、認証サーバ１に対し、コンテンツの閲覧を要求する（ステップＳ１１）。認証要求ステップでは、認証要求部１３が、携帯電話３に対し、コンテンツの閲覧を求める認証を要求する（ステップＳ１２）。認証実行ステップでは、携帯電話３が、ユーザへの認証要求の通知後にユーザの指示を取得し、認証サーバ１に対し、コンテンツの閲覧を求める認証を行う（ステップＳ１３）。
【００５８】
閲覧許可ステップでは、コンテンツの閲覧を求める認証が成功したときに、閲覧認証部１４が、閲覧装置２に対し、コンテンツの閲覧を許可する。そして、閲覧認証部１４は、データ通信部１２に対しコンテンツの閲覧許可を通知し、データ通信部１２は、コンテンツ格納部１１からコンテンツを読み出し、閲覧装置２に対しコンテンツを送信する（ステップＳ１４）。
【００５９】
実施形態２では、なりすましが困難で広く普及する携帯電話３を用いて認証を行うため、簡単な構成を用いて高いセキュリティのもとでコンテンツを共有することができる。そして、閲覧装置２が利用者の手元にない場合であっても、携帯電話３を用いてセキュリティの高い認証を行うことができる。
【００６０】
実施形態２では、さらに、コンテンツは、暗号化されて格納されていてもよく、認証要求部１３は、携帯電話３から認証を行われるとともに、暗号化されたコンテンツを復号化するパスワードを受信してもよい。このときには、認証実行ステップでは、携帯電話３は、認証サーバ１に対し、コンテンツの閲覧を求める認証を行うとともに、暗号化されたコンテンツを復号化するパスワードを送信することとなる（ステップＳ１３）。
【００６１】
実施形態２では、暗号化されたコンテンツを復号化するパスワードは、携帯電話３のみが格納しており、コンテンツを格納する装置や閲覧装置２は格納していない。よって、コンテンツを格納する装置や閲覧装置２が不正にアクセスされる可能性があっても、高いセキュリティのもとでコンテンツを共有することができる。
【００６２】
（実施形態３）
実施形態３の閲覧認証方法を図５に示す。実施形態３では、コンテンツの閲覧者及び登録者は異なる。コンテンツの閲覧者の閲覧装置２は、認証サーバ１に対しコンテンツの閲覧を要求し、コンテンツの閲覧者の閲覧装置２ではなくコンテンツの閲覧者の携帯電話３が、認証サーバ１に対し認証を行う。コンテンツの登録者の携帯電話４は、コンテンツの閲覧者の閲覧装置２に対し閲覧を許可する。コンテンツの閲覧者の携帯電話３からの認証が行われた後で、コンテンツの登録者の携帯電話４からの閲覧許可が下りる。
【００６３】
実施形態３の認証サーバの構成を図６に示す。認証サーバ１は、コンテンツ格納部１１、データ通信部１２、認証要求部１３、閲覧認証部１４及び閲覧確認部１５から構成される。コンテンツ格納部１１、データ通信部１２、認証要求部１３及び閲覧認証部１４については、実施形態３及び実施形態１でほぼ同様である。
【００６４】
閲覧確認部１５は、コンテンツの閲覧を求める認証が成功したときに、コンテンツの登録者の携帯電話４に対し、コンテンツの閲覧の可否を確認する。閲覧認証部１４は、コンテンツの閲覧の許可が通知されたときに、閲覧装置２に対し、コンテンツの閲覧を許可する。つまり、コンテンツの閲覧者の携帯電話３の認証が成功した後に、コンテンツの登録者の携帯電話４の閲覧許可が下りると、コンテンツの閲覧者の閲覧装置２はコンテンツを受信することができる。
【００６５】
実施形態３の以下の説明では、実施形態３を電子カルテシステムに適用し、医療機関Ａが認証サーバ１に電子カルテを登録した後に、医療機関Ｂの看護婦が閲覧装置２を用いて閲覧を行うにあたり、医療機関Ｂの看護婦が閲覧装置２を用いて閲覧要求を行い、医療機関Ｂの医者が携帯電話３を用いて認証を行うものとする。そして、医療機関Ｂの医者の携帯電話３からの認証が行われた後で、医療機関Ａの医者の携帯電話４からの閲覧許可が下りるものとする。
【００６６】
閲覧要求ステップ、認証要求ステップ、認証実行ステップ及びコンテンツの送信は、実施形態３及び実施形態１でほぼ同様である（ステップＳ２１−Ｓ２３、Ｓ２６）。
【００６７】
閲覧確認ステップでは、コンテンツの閲覧を求める認証が成功したときに、閲覧確認部１５が、コンテンツの登録者の携帯電話４に対し、コンテンツの閲覧の可否を確認する（ステップＳ２４）。閲覧通知ステップでは、医療機関Ａの医者が、携帯電話４において閲覧許否を出す。具体的には、コンテンツの登録者の携帯電話４が、ユーザへの確認要求の通知後にユーザの指示を取得し、認証サーバ１に対し、コンテンツの閲覧の可否を通知する（ステップＳ２５）。閲覧許可ステップでは、コンテンツの閲覧の許可が通知されたときに、閲覧認証部１４が、閲覧装置２に対し、コンテンツの閲覧を許可する。
【００６８】
実施形態３では、閲覧装置２が閲覧要求を行った場合であっても、携帯電話３を用いてセキュリティの高い認証を行うことができる。そして、コンテンツの閲覧者側が閲覧の要求を認証サーバ１に行った後に、コンテンツの登録者側が閲覧の可否を認証サーバ１に通知し、コンテンツの閲覧者側及び登録者側の間で高いセキュリティのもとでコンテンツを共有することができる。
【００６９】
実施形態３では、さらに、コンテンツは、暗号化されて格納されていてもよく、閲覧確認部１５は、コンテンツの登録者の携帯電話４からコンテンツの閲覧の許可を通知されるときに、暗号化されたコンテンツを復号化するパスワードを受信してもよい。このときには、閲覧通知ステップでは、コンテンツの登録者の携帯電話４は、認証サーバ１に対し、コンテンツの閲覧の許可を通知するときに、暗号化されたコンテンツを復号化するパスワードを送信することとなる（ステップＳ２５）。
【００７０】
実施形態３では、暗号化されたコンテンツを復号化するパスワードは、コンテンツの登録者の携帯電話４のみが格納しており、コンテンツを格納する装置や閲覧装置２は格納していない。よって、コンテンツを格納する装置や閲覧装置２が不正にアクセスされる可能性があっても、高いセキュリティのもとでコンテンツを共有することができる。
【００７１】
（実施形態４）
実施形態４の閲覧認証方法を図７に示す。実施形態４では、コンテンツの閲覧者及び登録者は異なる。コンテンツの閲覧者の携帯電話３は、認証サーバ１に対しコンテンツの閲覧を要求し、コンテンツの閲覧者の携帯電話３が、認証サーバ１に対し認証を行う。コンテンツの登録者の携帯電話４は、コンテンツの閲覧者の閲覧装置２に対し閲覧を許可する。コンテンツの閲覧者の携帯電話３からの認証が行われた後で、コンテンツの登録者の携帯電話４からの閲覧許可が下りる。
【００７２】
実施形態４の認証サーバの構成を図８に示す。認証サーバ１は、コンテンツ格納部１１、データ通信部１２、認証要求部１３、閲覧認証部１４及び閲覧確認部１５から構成される。認証要求部１３が、携帯電話３から閲覧要求を受け、携帯電話３に対し認証を要求すること以外は、各構成要素について、実施形態４及び実施形態３でほぼ同様である。
【００７３】
実施形態４の以下の説明では、実施形態４を電子カルテシステムに適用し、医療機関Ａが認証サーバ１に電子カルテを登録した後に、医療機関Ｂの医者が閲覧装置２を用いて閲覧を行うにあたり、医療機関Ｂの医者が携帯電話３を用いて閲覧要求を行い、医療機関Ｂの医者が携帯電話３を用いて認証を行うものとする。そして、医療機関Ｂの医者の携帯電話３からの認証が行われた後で、医療機関Ａの医者の携帯電話４からの閲覧許可が下りるものとする。
【００７４】
認証要求部１３が、携帯電話３から閲覧要求を受け、携帯電話３に対し認証を要求すること以外は、閲覧要求ステップ、認証要求ステップ、認証実行ステップ、閲覧確認ステップ、閲覧通知ステップ、コンテンツの送信及び復号化パスワードの格納場所は、実施形態４及び実施形態３でほぼ同様である（ステップＳ３１−Ｓ３６）。
【００７５】
実施形態４では、閲覧装置２が利用者の手元にない場合であっても、携帯電話３を用いてセキュリティの高い認証を行うことができる。そして、コンテンツの閲覧者側が閲覧の要求を認証サーバ１に行った後に、コンテンツの登録者側が閲覧の可否を認証サーバ１に通知し、コンテンツの閲覧者側及び登録者側の間で高いセキュリティのもとでコンテンツを共有することができる。
【００７６】
（実施形態５）
実施形態５の閲覧認証方法を図９に示す。実施形態５では、コンテンツの閲覧者及び登録者は異なる。コンテンツの閲覧者の閲覧装置２は、認証サーバ１に対しコンテンツの閲覧を要求し、コンテンツの閲覧者の閲覧装置２ではなくコンテンツの閲覧者の携帯電話３が、認証サーバ１に対し認証を行う。コンテンツの登録者の携帯電話４は、コンテンツの閲覧者の閲覧装置２に対し閲覧を許可する。コンテンツの閲覧者の携帯電話３からの認証が行われる前に、コンテンツの登録者の携帯電話４からの閲覧許可が下りる。
【００７７】
実施形態５の認証サーバの構成を図１０に示す。認証サーバ１は、コンテンツ格納部１１、データ通信部１２、認証要求部１３、閲覧認証部１４及び閲覧登録部１６から構成される。コンテンツ格納部１１、データ通信部１２、認証要求部１３及び閲覧認証部１４については、実施形態５及び実施形態１でほぼ同様である。
【００７８】
認証要求部１３は、コンテンツの登録者の携帯電話４から、コンテンツの閲覧を許可する旨の登録を要求されたときに、コンテンツの登録者の携帯電話４に対し、コンテンツの閲覧を許可する旨の登録を求める認証を要求する。閲覧登録部１６は、コンテンツの閲覧を許可する旨の登録を求める認証が成功したときに、コンテンツの閲覧を許可する旨の登録を実行する。閲覧認証部１４は、コンテンツの閲覧を許可する旨の登録に基づき、閲覧装置２に対し、コンテンツの閲覧を許可する。つまり、コンテンツの登録者の携帯電話４の閲覧許可が下りた後に、コンテンツの閲覧者の携帯電話３の認証が成功すると、コンテンツの閲覧者の閲覧装置２はコンテンツを受信することができる。
【００７９】
実施形態５の以下の説明では、実施形態５を電子カルテシステムに適用し、医療機関Ａが認証サーバ１に電子カルテを登録した後に、医療機関Ｂの看護婦が閲覧装置２を用いて閲覧を行うにあたり、医療機関Ｂの看護婦が閲覧装置２を用いて閲覧要求を行い、医療機関Ｂの医者が携帯電話３を用いて認証を行うものとする。そして、医療機関Ｂの医者の携帯電話３からの認証が行われる前に、医療機関Ａの医者の携帯電話４からの閲覧許可が下りるものとする。
【００８０】
閲覧要求ステップ、認証要求ステップ、認証実行ステップ及びコンテンツの送信は、実施形態５及び実施形態１でほぼ同様である（ステップＳ４６−Ｓ４９）。
【００８１】
医療機関Ｂの医者は、医療機関Ａの医者に、閲覧装置２によるコンテンツの閲覧を許可する旨の登録を要求する（ステップＳ４１）。登録要求ステップでは、医療機関Ａの医者が、携帯電話４において、閲覧装置２によるコンテンツの閲覧を許可する旨の登録を要求する。具体的には、コンテンツの登録者の携帯電話４が、ユーザの指示を取得し、認証サーバ１に対し、コンテンツの閲覧を許可する旨の登録を要求する（ステップＳ４２）。登録者認証要求ステップでは、認証要求部１３が、コンテンツの登録者の携帯電話４に対し、コンテンツの閲覧を許可する旨の登録を求める認証を要求する（ステップＳ４３）。登録者認証実行ステップでは、コンテンツの登録者の携帯電話４が、ユーザへの認証要求の通知後にユーザの指示を取得し、認証サーバ１に対し、コンテンツの閲覧を許可する旨の登録を求める認証を行う（ステップＳ４４）。医療機関Ａの医者は、医療機関Ｂの医者に、閲覧装置２によるコンテンツの閲覧を許可する旨の登録の完了を通知する（ステップＳ４５）。なお、医療機関Ａの医者及び医療機関Ｂの医者の間の連絡は、口頭によるものであってもよく、何らかの通信手段によるものであってもよい。
【００８２】
閲覧許可ステップでは、コンテンツの閲覧を許可する旨の登録に基づき、閲覧認証部１４が、閲覧装置２に対し、コンテンツの閲覧を許可する。そして、コンテンツが認証サーバ１から閲覧装置２に対し送信される（ステップＳ４９）。
【００８３】
実施形態５では、閲覧装置２が閲覧要求を行った場合であっても、携帯電話３を用いてセキュリティの高い認証を行うことができる。そして、コンテンツの閲覧者側が閲覧の要求を認証サーバ１に行う前に、コンテンツの登録者側が閲覧の許可を認証サーバ１に通知し、コンテンツの閲覧者側及び登録者側の間で高いセキュリティのもとでコンテンツを共有することができる。
【００８４】
実施形態５では、さらに、コンテンツは、暗号化されて格納されていてもよい。そして、暗号化されたコンテンツを復号化するパスワードを、コンテンツを格納する装置以外のセキュリティの高い装置が格納していてもよく、コンテンツの登録者がコンテンツの閲覧者に口頭により又は何らかの通信手段により通知してもよい。よって、コンテンツを格納する装置が不正にアクセスされる可能性があっても、高いセキュリティのもとでコンテンツを共有することができる。
【００８５】
（実施形態６）
実施形態６の閲覧認証方法を図１１に示す。実施形態６では、コンテンツの閲覧者及び登録者は異なる。コンテンツの閲覧者の携帯電話３は、認証サーバ１に対しコンテンツの閲覧を要求し、コンテンツの閲覧者の携帯電話３が、認証サーバ１に対し認証を行う。コンテンツの登録者の携帯電話４は、コンテンツの閲覧者の閲覧装置２に対し閲覧を許可する。コンテンツの閲覧者の携帯電話３からの認証が行われる前に、コンテンツの登録者の携帯電話４からの閲覧許可が下りる。
【００８６】
実施形態６の認証サーバの構成を図１２に示す。認証サーバ１は、コンテンツ格納部１１、データ通信部１２、認証要求部１３、閲覧認証部１４及び閲覧登録部１６から構成される。認証要求部１３が、携帯電話３から閲覧要求を受け、携帯電話３に対し認証を要求すること以外は、各構成要素について、実施形態６及び実施形態５でほぼ同様である。
【００８７】
実施形態６の以下の説明では、実施形態６を電子カルテシステムに適用し、医療機関Ａが認証サーバ１に電子カルテを登録した後に、医療機関Ｂの医者が閲覧装置２を用いて閲覧を行うにあたり、医療機関Ｂの医者が携帯電話３を用いて閲覧要求を行い、医療機関Ｂの医者が携帯電話３を用いて認証を行うものとする。そして、医療機関Ｂの医者の携帯電話３からの認証が行われる前に、医療機関Ａの医者の携帯電話４からの閲覧許可が下りるものとする。
【００８８】
認証要求部１３が、携帯電話３から閲覧要求を受け、携帯電話３に対し認証を要求すること以外は、登録要求ステップ、登録者認証要求ステップ、登録者認証実行ステップ、閲覧要求ステップ、認証要求ステップ、認証実行ステップ、コンテンツの送信及び復号化パスワードの格納場所及び配信方法は、実施形態６及び実施形態５でほぼ同様である（ステップＳ５１−Ｓ５９）。
【００８９】
実施形態６では、閲覧装置２が利用者の手元にない場合であっても、携帯電話３を用いてセキュリティの高い認証を行うことができる。そして、コンテンツの閲覧者側が閲覧の要求を認証サーバ１に行う前に、コンテンツの登録者側が閲覧の許可を認証サーバ１に通知し、コンテンツの閲覧者側及び登録者側の間で高いセキュリティのもとでコンテンツを共有することができる。
【００９０】
（実施形態７）
実施形態７の閲覧認証方法を図１３に示す。実施形態７では、認証サーバ１は、コンテンツを格納している。まず、コンテンツの登録者及び閲覧者の間で、コンテンツを共有する契約を結ぶ。次に、コンテンツの登録者の携帯電話４は、認証サーバ１に対し認証を行うことにより、コンテンツを閲覧する閲覧装置２でのコンテンツの閲覧を許可する旨を認証サーバ１に登録する。次に、認証サーバ１に対し認証を行うことなく、コンテンツが認証サーバ１から閲覧装置２へとダウンロードされる。
【００９１】
実施形態７の認証サーバの構成を図１４に示す。認証サーバ１は、コンテンツ格納部１１、データ通信部１２、認証要求部１３、閲覧認証部１４及び閲覧登録部１６から構成される。コンテンツ格納部１１は、コンテンツを格納しており、データ通信部１２は、データ通信を行う。コンテンツは、認証サーバ１に格納されていてもよく、認証サーバ１以外の装置に格納されていてもよい。
【００９２】
認証要求部１３は、コンテンツの登録者の携帯電話４から、コンテンツの閲覧を許可する旨の登録を要求されたときに、コンテンツの登録者の携帯電話４に対し、コンテンツの閲覧を許可する旨の登録を求める認証を要求する。
【００９３】
閲覧認証部１４は、コンテンツの閲覧を許可する旨の登録を求める認証が成功したときに、コンテンツの閲覧を許可する旨の登録を承認し、閲覧装置２でのコンテンツの閲覧を許可する。閲覧登録部１６は、コンテンツの閲覧を許可する旨の登録を求める認証が成功したときに、コンテンツの閲覧を許可する旨の登録を実行する。
【００９４】
実施形態７の以下の説明では、実施形態７を電子カルテシステムに適用し、医療機関Ａが認証サーバ１に電子カルテを登録した後に、医療機関Ｂが閲覧装置２を用いて閲覧を行うにあたり、医療機関Ｂの医者が認証サーバ１に対し認証を行わなくてよいとする。
【００９５】
図１３の処理を実行するにあたり、医療機関Ａの医者は、認証サーバ１に電子カルテを登録する。医療機関Ａの医者及び医療機関Ｂの医者は、電子カルテを共有する契約を結ぶ。医療機関Ｂの医者は、医療機関Ａの医者に対し、医療機関Ｂの閲覧装置２での電子カルテの閲覧を許可する旨の登録を要求する（ステップＳ６１）。
【００９６】
登録要求ステップでは、コンテンツの登録者の携帯電話４が、ユーザの指示を取得し、認証サーバ１に対し、コンテンツの閲覧を許可する旨の登録を要求する（ステップＳ６２）。具体的には、医療機関Ａの医者は、携帯電話４を用いて、電子カルテの閲覧を許可する旨の登録を要求する。登録者認証要求ステップでは、認証要求部１３が、コンテンツの登録者の携帯電話４に対し、コンテンツの閲覧を許可する旨の登録を求める認証を要求する（ステップＳ６３）。登録者認証実行ステップでは、コンテンツの登録者の携帯電話４が、ユーザへの認証要求の通知後にユーザの指示を取得し、認証サーバ１に対し、コンテンツの閲覧を許可する旨の登録を求める認証を行う（ステップＳ６４）。具体的には、医療機関Ａの医者は、携帯電話４を用いて、ＩＤやパスワードなどによる認証を行う。
【００９７】
閲覧許可ステップでは、コンテンツの閲覧を許可する旨の登録を求める認証が成功したときに、閲覧登録部１６がコンテンツの閲覧を許可する旨の登録を実行し、閲覧認証部１４がコンテンツの閲覧を許可する。閲覧認証部１４は、データ通信部１２に対しコンテンツの閲覧許可を通知し、データ通信部１２は、コンテンツ格納部１１からコンテンツを読み出し、閲覧装置２に対しコンテンツを送信する（ステップＳ６５）。
【００９８】
実施形態７では、コンテンツの登録者側は、なりすましが困難で広く普及する携帯電話４を用いて、コンテンツの閲覧者を登録する。ただし、コンテンツの閲覧者側は、コンテンツの閲覧を認証サーバ１に要求するなどの特別な処理を行う必要はない。よって、閲覧装置２がファックス装置などのなりすましが困難な端末であるときには、より簡単な構成を用いて高いセキュリティのもとでコンテンツを共有することができる。
【００９９】
（変形例）
認証サーバ１が携帯電話３、４を認証する方法として、実施形態１−７では、ＩＤやパスワードを用いた認証を行っているが、本変形例では、以下のような認証を行ってもよい。まず、携帯電話３、４の固有情報又は位置情報を用いた認証がある。次に、通信端末がなりすましの困難な携帯電話であるか、なりすましの容易なコンピュータであるかを判断する認証がある。この場合には、認証サーバ１及び通信端末の間の伝送遅延時間の分布特性が離散的であれば、通信端末が携帯電話３、４などの無線通信端末であると判断し、認証サーバ１及び通信端末の間の伝送遅延時間の分布特性が離散的でなければ、通信端末がコンピュータなどの有線通信端末であると判断する。
【０１００】
暗号化されたコンテンツを復号化するパスワードは、実施形態１−４では、携帯電話３、４のみが格納していたが、本変形例では、認証サーバ１が一時的に格納していてもよい。すると、閲覧装置２においてある期間内にコンテンツを複数回閲覧するときでも、携帯電話３、４においてパスワードを複数回送信しなくてもよいため、閲覧要求に迅速に応答することができる。ただし、認証サーバ１は、高いセキュリティを確保するため、当該期間の経過後には、一時的に格納していたパスワードを消去することが望ましい。
【０１０１】
実施形態１−７では、認証サーバ１から閲覧装置２に対しコンテンツが送信される方法を限定していないが、ウェブブラウザやメールシステムなどを利用することができる。メールシステムを利用する場合には、コンテンツが更新されるたびに、登録済みのメールアドレスに対し、コンテンツが自動的に送信される。そして、コンテンツは受信フォルダ内に格納され、メールのタイトルとしてコンテンツの属性情報を設定すれば、コンテンツは受信フォルダ内で容易に検索することができる。ただし、暗号化されたコンテンツを閲覧するときには、パスワードを入力する必要がある。
【０１０２】
（文書を透明ケースに格納する方法）
本願発明の文書の格納方法は、文書を画像データに変換し画像データを格納するときに利用することができるが、本実施形態では、手書きカルテを電子カルテに変換し電子カルテを格納するときに利用するものとする。
【０１０３】
文書を透明ケースに格納する方法を図１５に示す。まず、透明ケース１００に文書２００の属性情報を示すコード１０１及び文字１０２を付し、次に、透明ケース１００に文書２００を格納する。電子カルテシステムでは、透明ケース１００は、クリアファイルであり、文書２００は、手書きカルテであり、コード１０１は、ＱＲコードであり、属性情報は、患者の氏名及びその振り仮名並びに患者の生年月日などの患者情報である。透明ケース１００は、文書２００の更新の度に準備する必要はなく、文書２００の最初の登録において準備すればよい。
【０１０４】
（画像データを格納する方法）
画像データを格納する方法を図１６に示す。最初に、透明ケース１００を予め準備しておく。電子カルテシステムにおいては、医者又は看護婦は、クリアファイルを予め準備しておく。次に、文書２００を透明ケース１００に格納する。電子カルテシステムでは、医者又は看護婦は、文字１０２が示す患者情報及び文書２００の患者情報が一致するように、手書きカルテをクリアファイルに挟む（ステップＰ１）。次に、透明ケース１００に格納された文書２００をスキャナ３００にセットする。電子カルテシステムでは、医者又は看護婦は、クリアファイルに挟まれた手書きカルテをスキャナ３００にセットする（ステップＰ２）。最後に、医者又は看護婦は、スキャン開始ボタンを押す（ステップＰ３）。医者又は看護婦は、ステップＰ３までの処理を行えばよく、以降の処理を行わなくてもよい。
【０１０５】
スキャナ３００は、スキャン開始指示を取得する（ステップＰ４）。次に、画像変換ステップでは、スキャナ３００は、文書２００の属性情報を示すコード１０１が付された透明ケース１００に文書２００が格納された状態で、文書２００及びコード１０１を画像データに変換する。電子カルテシステムでは、スキャナ３００は、手書きカルテの患者情報を示すＱＲコードが付されたクリアファイルに手書きカルテが挟まれた状態で、手書きカルテ及びＱＲコードを電子カルテに変換する。次に、スキャナ３００は、文書２００及びコード１０１の画像データをコンピュータ４００に送信する（ステップＰ５）。次に、コンピュータ４００は、文書２００の画像データの格納を承認する認証サーバ５００に対して、ＩＤ又はパスワードなどによる認証を実行し、当該認証が成功すれば文書２００及びコード１０１の画像データを送信する（ステップＰ６）。
【０１０６】
属性情報設定ステップでは、認証サーバ５００は、文書２００及びコード１０１の画像データからコード１０１の画像を識別し、識別したコード１０１の画像から文書２００の属性情報を抽出し、抽出した文書２００の属性情報を文書２００の画像データの属性情報として設定する。電子カルテシステムでは、認証サーバ５００は、電子カルテからＱＲコードの画像を識別し、識別したＱＲコードの画像から手書きカルテの患者情報を抽出し（ステップＰ７）、抽出した手書きカルテの患者情報を電子カルテの患者情報として設定する（ステップＰ８）。
【０１０７】
格納認証ステップでは、認証サーバ５００は、文書２００の画像データに設定された属性情報及び文書２００の属性情報が一致するときに、文書２００の画像データの格納を承認する。電子カルテシステムでは、認証サーバ５００は、電子カルテに設定された患者情報及び手書きカルテの患者情報が一致するときに（ステップＰ９）、電子カルテの格納を承認する（ステップＰ１０）。具体的には、認証サーバ５００は、コンピュータ４００に対して、これらの患者情報が一致するかどうかを確認する。そして、コンピュータ４００は、認証サーバ５００に対して、登録の権限を有する医者からの指示に応じて、これらの患者情報が一致するかどうかを応答する。
【０１０８】
文書追加ステップでは、認証サーバ５００は、文書２００の画像データに設定された属性情報に基づいて、更新前の文書２００の画像データを検索し、更新後の文書２００の画像データを更新前の文書２００の画像データに追加する。電子カルテシステムでは、認証サーバ５００は、電子カルテに設定された患者情報に基づいて、更新前の電子カルテを検索し、更新後の電子カルテを更新前の電子カルテに追加する（ステップＰ１１）。
【０１０９】
同じ患者について、手書きカルテの更新の度に、同じクリアファイルが使い回されるため、同じ属性情報が設定された電子カルテが生成される。そこで、認証サーバ５００は、更新後の電子カルテに設定された属性情報に基づいて、更新前の電子カルテを検索することができる。そして、認証サーバ５００は、電子カルテの追加の形態として、更新前の電子カルテに加えて更新後の電子カルテを追加することもでき、更新前の電子カルテに代えて更新後の電子カルテを格納することもでき、初回の登録の際には新たなファイルを作成したうえで電子カルテを新たなファイルに格納することもできる。
【０１１０】
画像変換ステップ及び属性情報設定ステップでは、文書２００を透明ケース１００に格納し、文書２００を透明ケース１００に格納した状態で、スキャン開始指示をスキャナ３００に与えるのみでよい。よって、文書２００を画像データに変換するときに、画像データのファイル名を入力する必要がなくなる。格納認証ステップでは、属性情報が一致した状態で文書２００が透明ケース１００に格納されたかどうかを確認したうえで、画像データを格納することができる。文書追加ステップでは、認証サーバ５００の自動処理を利用することにより、ユーザは、更新前の文書２００を検索し、更新後の文書２００を更新前の文書２００に追加する必要がなくなる。
【０１１１】
透明ケース１００は一度だけ準備しておけばよく何度でも使い回すことができ、文書２００を更新するたびにコード１０１を文書２００に付す必要はない。ここで、コード１０１が文書２００に付されるとすれば、コード１０１の位置が文書の更新の度に変更されることになるが、コード１０１は透明ケース１００に付されるため、コード１０１の位置は文書の更新の度に変更されることはない。よって、コード１０１の画像を自動的に識別することができ、コード１０１の認識率を高めることができる。さらに、手書きで作成された文書２００であっても、本願文書の格納方法を導入する前に作成された文書２００であっても、本願文書の格納方法を用いて容易に電子化することができる。
【０１１２】
（認証サーバの構成）
認証サーバ５００の構成を図１７に示す。認証サーバ５００は、コンテンツ格納部５０１、データ通信部５０２、コード抽出部５０３、属性情報設定部５０４、コンテンツ格納認証部５０５及びコンテンツ格納追加部５０６から構成される。コンテンツ格納部５０１は、画像データを格納しており、認証サーバ５００に配置されていてもよく、認証サーバ５００以外の装置に配置されていてもよい。データ通信部５０２は、ステップＰ６におけるＩＤ又はパスワードによる認証及び画像データの送信、並びにステップＰ９における属性情報の一致の確認について、コンピュータ４００及び認証サーバ５００の間でのインタフェースとなる。
【０１１３】
コード抽出部５０３は、文書２００の属性情報を示すコード１０１が付された透明ケース１００に文書２００が格納された状態で作成された文書２００及びコード１０１の画像データから、コード１０１の画像を識別し、識別したコード１０１の画像から、文書２００の属性情報を抽出する。電子カルテシステムでは、コード抽出部５０３は、手書きカルテの患者情報を示すＱＲコードが付されたクリアファイルに手書きカルテが挟まれた状態で作成された電子カルテから、ＱＲコードの画像を識別し、識別したＱＲコードの画像から、手書きカルテの患者情報を抽出する（ステップＰ７）。属性情報設定部５０４は、抽出された文書２００の属性情報を文書２００の画像データの属性情報として設定する。電子カルテシステムでは、属性情報設定部５０４は、抽出された手書きカルテの患者情報を電子カルテの患者情報として設定する（ステップＰ８）。
【０１１４】
コンテンツ格納認証部５０５は、文書２００の画像データに設定された属性情報及び文書２００の属性情報が一致するときに、文書２００の画像データの格納を承認する。電子カルテシステムでは、コンテンツ格納認証部５０５は、電子カルテに設定された患者情報及び手書きカルテの患者情報が一致するときに、電子カルテの格納を承認する（ステップＰ９、Ｐ１０）。コンテンツ格納追加部５０６は、文書２００の画像データに設定された属性情報に基づいて、更新前の文書２００の画像データを検索し、更新後の文書２００の画像データを更新前の文書２００の画像データに追加する。電子カルテシステムでは、コンテンツ格納追加部５０６は、電子カルテに設定された患者情報に基づいて、更新前の電子カルテを検索し、更新後の電子カルテを更新前の電子カルテに追加する（ステップＰ１１）。
【０１１５】
本実施形態では、文書２００の属性情報を示すコード１０１を、透明ケース１００に付しているが、他の実施形態では、文書２００の更新の度に変更される属性情報を示すコード１０１を、文書２００に付してもよい。透明ケース１００は更新の度に使い回されるが、文書２００は更新の度に作成されるため、文書２００の更新の度に変更される属性情報を示すコード１０１を、透明ケース１００ではなく文書２００に付している。文書２００の更新の度に変更される属性情報として、更新された日付及び変更された内容などに関する情報をあげることができる。
【０１１６】
画像変換ステップでは、スキャナ３００は、文書２００の更新の度に変更される属性情報を示すコード１０１が文書２００に付された状態で、文書２００及びコード１０１を画像データに変換する。コード抽出部５０３は、文書２００の更新の度に変更される属性情報を示すコード１０１が文書２００に付された状態で作成された文書２００及びコード１０１の画像データから、コード１０１の画像を識別し、識別したコード１０１の画像から、文書２００の属性情報を抽出する。
【０１１７】
格納される画像データは、文書２００のみの画像データであってもよく、文書２００及びコード１０１の両方の画像データであってもよい。文書２００のみの画像データが格納されるときには、文書２００及びコード１０１の画像データからコード１０１の画像データが削除され、文書２００のみの画像データを閲覧することができる。文書２００及びコード１０１の両方の画像データが格納されるときには、画像データを容易に格納することができる。
【０１１８】
本実施形態では、コンピュータ４００が認証サーバ５００に対してＩＤ又はパスワードなどによる認証を実行しているが、他の実施形態では、コンピュータ４００と関連付けられた携帯電話が認証サーバ５００に対してＩＤ又はパスワードなどによる認証を実行してもよい。認証サーバ５００は、コンピュータ４００及び携帯電話を関連付けており、コンピュータ４００から画像データの送信許可を要求されたときに、携帯電話に認証を要求する。携帯電話及び利用者は１対１に対応付けられているため、携帯電話が認証サーバ５００に対して認証を実行することにより、認証のセキュリティを高めることができる。
【産業上の利用可能性】
【０１１９】
本発明に係る閲覧認証方法は、簡単な構成を用いて高いセキュリティのもとでコンテンツを共有することができ、小規模の医療機関の間で電子カルテを共有する電子カルテシステムなどに利用することができる。
【０１２０】
また、本発明に係る文書の格納方法は、簡単な構成を用いて文書を画像データに変換し画像データを格納することができ、小規模の医療機関で電子カルテを格納する電子カルテシステムなどに利用することができる。
【符号の説明】
【０１２１】
１：認証サーバ
２：閲覧装置
３、４：携帯電話
１１：コンテンツ格納部
１２：データ通信部
１３：認証要求部
１４：閲覧認証部
１５：閲覧確認部
１６：閲覧登録部
１００：透明ケース
２００：文書
３００：スキャナ
４００：コンピュータ
５００：認証サーバ
１０１：コード
１０２：文字
５０１：コンテンツ格納部
５０２：データ通信部
５０３：コード抽出部
５０４：属性情報設定部
５０５：コンテンツ格納認証部
５０６：コンテンツ格納追加部
【図１】
2012108780.tif 000003
【図２】
2012108780.tif 000004
【図３】
2012108780.tif 000005
【図４】
2012108780.tif 000006
【図５】
2012108780.tif 000007
【図６】
2012108780.tif 000008
【図７】
2012108780.tif 000009
【図８】
2012108780.tif 000010
【図９】
2012108780.tif 000011
【図１０】
2012108780.tif 000012
【図１１】
2012108780.tif 000013
【図１２】
2012108780.tif 000014
【図１３】
2012108780.tif 000015
【図１４】
2012108780.tif 000016
【図１５】
2012108780.tif 000017
【図１６】
2012108780.tif 000018
【図１７】
2012108780.tif 000019
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
コンテンツが、前記コンテンツの閲覧者と異なる前記コンテンツの登録者により登録されており、
前記コンテンツの閲覧者の携帯電話が、前記コンテンツを閲覧させるサーバに対して行われる、前記コンテンツを閲覧する閲覧装置での前記コンテンツの閲覧を許可するための認証を取得する認証実行ステップと、
前記コンテンツの閲覧を許可するための認証が成功したときに、前記サーバが、前記コンテンツの登録者の携帯電話に対し、前記コンテンツの閲覧の可否を確認する閲覧確認ステップと、
前記コンテンツの登録者の携帯電話が、前記サーバに対し、前記コンテンツの閲覧の可否を通知する閲覧通知ステップと、
前記コンテンツの閲覧の許可が通知されたときに、前記サーバが、前記閲覧装置に対し、前記コンテンツを閲覧させる閲覧許可ステップと、
を順に備えることを特徴とする閲覧認証方法。
【請求項２】
前記閲覧装置が、前記サーバに対し、前記コンテンツの閲覧を要求する閲覧要求ステップと、
前記サーバが、前記閲覧装置又は前記コンテンツの閲覧者の携帯電話に対し、前記コンテンツの閲覧を許可するための認証を要求する認証要求ステップと、
を前記認証実行ステップの前に順に備えることを特徴とする、請求項１に記載の閲覧認証方法。
【請求項３】
前記コンテンツの閲覧者の携帯電話が、前記サーバに対し、前記コンテンツの閲覧を要求する閲覧要求ステップと、
前記サーバが、前記コンテンツの閲覧者の携帯電話に対し、前記コンテンツの閲覧を許可するための認証を要求する認証要求ステップと、
を前記認証実行ステップの前に順に備えることを特徴とする、請求項１に記載の閲覧認証方法。
【請求項４】
コンテンツが、前記コンテンツの閲覧者と異なる前記コンテンツの登録者により登録されており、
前記コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、
前記サーバが、前記コンテンツの登録者の携帯電話に対し、前記登録を前記サーバに求めるための認証を要求する登録者認証要求ステップと、
前記コンテンツの登録者の携帯電話が、前記サーバに対して行われる、前記登録を前記サーバに求めるための認証を取得する登録者認証実行ステップと、
前記閲覧装置が、前記サーバに対し、前記コンテンツの閲覧を要求する閲覧要求ステップと、
前記サーバが、前記閲覧装置又は前記コンテンツの閲覧者の携帯電話に対し、前記コンテンツの閲覧を許可するための認証を要求する認証要求ステップと、
前記コンテンツの閲覧者の携帯電話が、前記サーバに対して行われる、前記閲覧装置での前記コンテンツの閲覧を許可するための認証を取得する認証実行ステップと、
前記コンテンツの閲覧を許可するための認証が成功したときに、前記登録に基づき、前記サーバが、前記閲覧装置に対し、前記コンテンツを閲覧させる閲覧許可ステップと、
を順に備えることを特徴とする閲覧認証方法。
【請求項５】
コンテンツが、前記コンテンツの閲覧者と異なる前記コンテンツの登録者により登録されており、
前記コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、
前記サーバが、前記コンテンツの登録者の携帯電話に対し、前記登録を前記サーバに求めるための認証を要求する登録者認証要求ステップと、
前記コンテンツの登録者の携帯電話が、前記サーバに対して行われる、前記登録を前記サーバに求めるための認証を取得する登録者認証実行ステップと、
前記閲覧装置が、前記サーバに対し、前記コンテンツの閲覧を要求する閲覧要求ステップと、
前記サーバが、前記コンテンツの閲覧者の携帯電話に対し、前記コンテンツの閲覧を許可するための認証を要求する認証要求ステップと、
前記コンテンツの閲覧者の携帯電話が、前記サーバに対して行われる、前記閲覧装置での前記コンテンツの閲覧を許可するための認証を取得する認証実行ステップと、
前記コンテンツの閲覧を許可するための認証が成功したときに、前記登録に基づき、前記サーバが、前記閲覧装置に対し、前記コンテンツを閲覧させる閲覧許可ステップと、
を順に備えることを特徴とする閲覧認証方法。
【請求項６】
前記コンテンツは、暗号化されており、
前記認証実行ステップでは、前記コンテンツの閲覧者の携帯電話は、前記サーバに対して行われる、前記コンテンツの閲覧を許可するための認証を取得するとともに、暗号化された前記コンテンツを復号化するパスワードを前記サーバに送信することを特徴とする、請求項１から請求項５に記載のいずれかの閲覧認証方法。
【請求項７】
前記コンテンツは、暗号化されており、
前記閲覧通知ステップでは、前記コンテンツの登録者の携帯電話は、前記サーバに対し、前記コンテンツの閲覧の許可を通知するときに、暗号化された前記コンテンツを復号化するパスワードを送信することを特徴とする、請求項１から請求項３に記載のいずれかの閲覧認証方法。
【請求項８】
コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、
前記サーバが、前記コンテンツの登録者の携帯電話に対し、前記登録を前記サーバに求めるための認証を要求する登録者認証要求ステップと、
前記コンテンツの登録者の携帯電話が、前記サーバに対して行われる、前記登録を前記サーバに求めるための認証を取得する登録者認証実行ステップと、
前記登録を前記サーバに求めるための認証が成功したときに、前記サーバが、前記登録を実行し、前記閲覧装置に対し、前記コンテンツを閲覧させる閲覧許可ステップと、
を順に備えることを特徴とする閲覧認証方法。
【手続補正３】
【補正対象書類名】明細書
【補正対象項目名】０００１
【補正方法】変更
【補正の内容】
【０００１】
本発明は、簡単な構成を用いて高いセキュリティのもとでコンテンツを共有するための閲覧認証方法に関する。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開２００５−２８４７０３号公報
【特許文献２】特開２００２−１９７１８６号公報
【手続補正６】
【補正対象書類名】明細書
【補正対象項目名】０００６
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】００１０
【補正方法】変更
【補正の内容】
【００１０】
具体的には、本発明は、コンテンツが、前記コンテンツの閲覧者と異なる前記コンテンツの登録者により登録されており、前記コンテンツの閲覧者の携帯電話が、前記コンテンツを閲覧させるサーバに対して行われる、前記コンテンツを閲覧する閲覧装置での前記コンテンツの閲覧を許可するための認証を取得する認証実行ステップと、前記コンテンツの閲覧を許可するための認証が成功したときに、前記サーバが、前記コンテンツの登録者の携帯電話に対し、前記コンテンツの閲覧の可否を確認する閲覧確認ステップと、前記コンテンツの登録者の携帯電話が、前記サーバに対し、前記コンテンツの閲覧の可否を通知する閲覧通知ステップと、前記コンテンツの閲覧の許可が通知されたときに、前記サーバが、前記閲覧装置に対し、前記コンテンツを閲覧させる閲覧許可ステップと、を順に備えることを特徴とする閲覧認証方法である。
【手続補正９】
【補正対象書類名】明細書
【補正対象項目名】００１１
【補正方法】変更
【補正の内容】
【００１１】
この構成によれば、なりすましが困難で広く普及する携帯電話を用いて認証を行うため、簡単な構成を用いて高いセキュリティのもとでコンテンツを共有することができる。そして、コンテンツの閲覧者側が閲覧の要求を認証サーバに行った後に、コンテンツの登録者側が閲覧の可否を認証サーバに通知し、コンテンツの閲覧者側及び登録者側の間で高いセキュリティのもとでコンテンツを共有することができる。
【手続補正１０】
【補正対象書類名】明細書
【補正対象項目名】００１２
【補正方法】変更
【補正の内容】
【００１２】
また、本発明は、前記閲覧装置が、前記サーバに対し、前記コンテンツの閲覧を要求する閲覧要求ステップと、前記サーバが、前記閲覧装置又は前記コンテンツの閲覧者の携帯電話に対し、前記コンテンツの閲覧を許可するための認証を要求する認証要求ステップと、を前記認証実行ステップの前に順に備えることを特徴とする閲覧認証方法である。
【手続補正１１】
【補正対象書類名】明細書
【補正対象項目名】００１４
【補正方法】変更
【補正の内容】
【００１４】
また、本発明は、前記コンテンツの閲覧者の携帯電話が、前記サーバに対し、前記コンテンツの閲覧を要求する閲覧要求ステップと、前記サーバが、前記コンテンツの閲覧者の携帯電話に対し、前記コンテンツの閲覧を許可するための認証を要求する認証要求ステップと、を前記認証実行ステップの前に順に備えることを特徴とする閲覧認証方法である。
【手続補正１２】
【補正対象書類名】明細書
【補正対象項目名】００１６
【補正方法】変更
【補正の内容】
【００１６】
また、本発明は、コンテンツが、前記コンテンツの閲覧者と異なる前記コンテンツの登録者により登録されており、前記コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、前記サーバが、前記コンテンツの登録者の携帯電話に対し、前記登録を前記サーバに求めるための認証を要求する登録者認証要求ステップと、前記コンテンツの登録者の携帯電話が、前記サーバに対して行われる、前記登録を前記サーバに求めるための認証を取得する登録者認証実行ステップと、前記閲覧装置が、前記サーバに対し、前記コンテンツの閲覧を要求する閲覧要求ステップと、前記サーバが、前記閲覧装置又は前記コンテンツの閲覧者の携帯電話に対し、前記コンテンツの閲覧を許可するための認証を要求する認証要求ステップと、前記コンテンツの閲覧者の携帯電話が、前記サーバに対して行われる、前記閲覧装置での前記コンテンツの閲覧を許可するための認証を取得する認証実行ステップと、前記コンテンツの閲覧を許可するための認証が成功したときに、前記登録に基づき、前記サーバが、前記閲覧装置に対し、前記コンテンツを閲覧させる閲覧許可ステップと、を順に備えることを特徴とする閲覧認証方法である。
【手続補正１３】
【補正対象書類名】明細書
【補正対象項目名】００１７
【補正方法】変更
【補正の内容】
【００１７】
この構成によれば、なりすましが困難で広く普及する携帯電話を用いて認証を行うため、簡単な構成を用いて高いセキュリティのもとでコンテンツを共有することができる。そして、閲覧装置が閲覧要求を行った場合であっても、携帯電話を用いてセキュリティの高い認証を行うことができる。さらに、コンテンツの閲覧者側が閲覧の要求を認証サーバに行う前に、コンテンツの登録者側が閲覧の許可を認証サーバに通知し、コンテンツの閲覧者側及び登録者側の間で高いセキュリティのもとでコンテンツを共有することができる。
【手続補正１４】
【補正対象書類名】明細書
【補正対象項目名】００１８
【補正方法】変更
【補正の内容】
【００１８】
また、本発明は、コンテンツが、前記コンテンツの閲覧者と異なる前記コンテンツの登録者により登録されており、前記コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、前記サーバが、前記コンテンツの登録者の携帯電話に対し、前記登録を前記サーバに求めるための認証を要求する登録者認証要求ステップと、前記コンテンツの登録者の携帯電話が、前記サーバに対して行われる、前記登録を前記サーバに求めるための認証を取得する登録者認証実行ステップと、前記閲覧装置が、前記サーバに対し、前記コンテンツの閲覧を要求する閲覧要求ステップと、前記サーバが、前記コンテンツの閲覧者の携帯電話に対し、前記コンテンツの閲覧を許可するための認証を要求する認証要求ステップと、前記コンテンツの閲覧者の携帯電話が、前記サーバに対して行われる、前記閲覧装置での前記コンテンツの閲覧を許可するための認証を取得する認証実行ステップと、前記コンテンツの閲覧を許可するための認証が成功したときに、前記登録に基づき、前記サーバが、前記閲覧装置に対し、前記コンテンツを閲覧させる閲覧許可ステップと、を順に備えることを特徴とする閲覧認証方法である。
【手続補正１５】
【補正対象書類名】明細書
【補正対象項目名】００１９
【補正方法】変更
【補正の内容】
【００１９】
この構成によれば、なりすましが困難で広く普及する携帯電話を用いて認証を行うため、簡単な構成を用いて高いセキュリティのもとでコンテンツを共有することができる。そして、閲覧装置が利用者の手元にない場合であっても、携帯電話を用いてセキュリティの高い認証を行うことができる。さらに、コンテンツの閲覧者側が閲覧の要求を認証サーバに行う前に、コンテンツの登録者側が閲覧の許可を認証サーバに通知し、コンテンツの閲覧者側及び登録者側の間で高いセキュリティのもとでコンテンツを共有することができる。
【手続補正１６】
【補正対象書類名】明細書
【補正対象項目名】００２０
【補正方法】変更
【補正の内容】
【００２０】
また、本発明は、前記コンテンツは、暗号化されており、前記認証実行ステップでは、前記コンテンツの閲覧者の携帯電話は、前記サーバに対して行われる、前記コンテンツの閲覧を許可するための認証を取得するとともに、暗号化された前記コンテンツを復号化するパスワードを前記サーバに送信することを特徴とする閲覧認証方法である。
【手続補正１７】
【補正対象書類名】明細書
【補正対象項目名】００２２
【補正方法】変更
【補正の内容】
【００２２】
また、本発明は、前記コンテンツは、暗号化されており、前記閲覧通知ステップでは、前記コンテンツの登録者の携帯電話は、前記サーバに対し、前記コンテンツの閲覧の許可を通知するときに、暗号化された前記コンテンツを復号化するパスワードを送信することを特徴とする閲覧認証方法である。
【手続補正１８】
【補正対象書類名】明細書
【補正対象項目名】００２４
【補正方法】変更
【補正の内容】
【００２４】
また、本発明は、コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、前記サーバが、前記コンテンツの登録者の携帯電話に対し、前記登録を前記サーバに求めるための認証を要求する登録者認証要求ステップと、前記コンテンツの登録者の携帯電話が、前記サーバに対して行われる、前記登録を前記サーバに求めるための認証を取得する登録者認証実行ステップと、前記登録を前記サーバに求めるための認証が成功したときに、前記サーバが、前記登録を実行し、前記閲覧装置に対し、前記コンテンツを閲覧させる閲覧許可ステップと、を順に備えることを特徴とする閲覧認証方法である。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】変更
【補正の内容】
【００３９】
【図１】実施形態１の閲覧認証方法を示す図である。
【図２】実施形態１の認証サーバの構成を示す図である。
【図３】実施形態２の閲覧認証方法を示す図である。
【図４】実施形態２の認証サーバの構成を示す図である。
【図５】実施形態３の閲覧認証方法を示す図である。
【図６】実施形態３の認証サーバの構成を示す図である。
【図７】実施形態４の閲覧認証方法を示す図である。
【図８】実施形態４の認証サーバの構成を示す図である。
【図９】実施形態５の閲覧認証方法を示す図である。
【図１０】実施形態５の認証サーバの構成を示す図である。
【図１１】実施形態６の閲覧認証方法を示す図である。
【図１２】実施形態６の認証サーバの構成を示す図である。
【図１３】実施形態７の閲覧認証方法を示す図である。
【図１４】実施形態７の認証サーバの構成を示す図である。
【手続補正３２】
【補正対象書類名】明細書
【補正対象項目名】００４１
【補正方法】変更
【補正の内容】
【００４１】
（実施形態１）
実施形態１の閲覧認証方法を図１に示す。実施形態１では、認証サーバ１は、コンテンツを格納しており、閲覧装置２は、認証サーバ１に対しコンテンツの閲覧を要求し、閲覧装置２ではなく携帯電話３が、認証サーバ１に対し認証を行う。コンテンツは、認証サーバ１に格納されていてもよく、認証サーバ１以外の装置に格納されていてもよい。認証を行うのは携帯電話であるが、実施形態１、他の実施形態及び変形例では、便宜上認証サーバという用語を使用する。
【手続補正３３】
【補正対象書類名】明細書
【補正対象項目名】００４４
【補正方法】変更
【補正の内容】
【００４４】
実施形態１の以下の説明では、実施形態１を電子カルテシステムに適用し、医療機関Ａが認証サーバ１に電子カルテを登録した後に、医療機関Ａの看護師が閲覧装置２を用いて閲覧を行うにあたり、医療機関Ａの看護師が閲覧装置２を用いて閲覧要求を行い、医療機関Ａの医者が携帯電話３を用いて認証を行うものとする。
【手続補正３４】
【補正対象書類名】明細書
【補正対象項目名】００４５
【補正方法】変更
【補正の内容】
【００４５】
閲覧要求ステップでは、医療機関Ａの看護師が、閲覧装置２において閲覧要求を出す。具体的には、閲覧装置２が、ユーザの指示を取得し、認証サーバ１に対し、コンテンツの閲覧を要求する（ステップＳ１）。認証要求ステップでは、認証要求部１３が、閲覧装置２又は携帯電話３に対し、コンテンツの閲覧を求める認証を要求する（ステップＳ２）。認証実行ステップでは、携帯電話３が、ユーザへの認証要求の通知後にユーザの指示を取得し、認証サーバ１に対し、コンテンツの閲覧を求める認証を行う（ステップＳ３）。
【手続補正３５】
【補正対象書類名】明細書
【補正対象項目名】００４６
【補正方法】変更
【補正の内容】
【００４６】
認証要求部１３が、閲覧装置２のみに対し認証を要求する第１の場合について説明する。まず、閲覧装置２を用いる看護師は、携帯電話３を用いる医者に対し、認証を要求する。ここで、認証の要求は、口頭で行ってもよく、閲覧装置２から携帯電話３への無線通信で行ってもよい。次に、携帯電話３を用いる医者は、認証を行う。
【手続補正３６】
【補正対象書類名】明細書
【補正対象項目名】００４７
【補正方法】変更
【補正の内容】
【００４７】
認証要求部１３が、携帯電話３のみに対し認証を要求する第２の場合について説明する。第２の場合には、第１の場合の認証の要求は不要であり、携帯電話３を用いる医者は認証を行う。よって、携帯電話３を用いる医者が閲覧装置２を用いる看護師から離れていても、看護師が医者に連絡をとることなく医者は認証を行うことができる。
【手続補正３７】
【補正対象書類名】明細書
【補正対象項目名】００６５
【補正方法】変更
【補正の内容】
【００６５】
実施形態３の以下の説明では、実施形態３を電子カルテシステムに適用し、医療機関Ａが認証サーバ１に電子カルテを登録した後に、医療機関Ｂの看護師が閲覧装置２を用いて閲覧を行うにあたり、医療機関Ｂの看護師が閲覧装置２を用いて閲覧要求を行い、医療機関Ｂの医者が携帯電話３を用いて認証を行うものとする。そして、医療機関Ｂの医者の携帯電話３からの認証が行われた後で、医療機関Ａの医者の携帯電話４からの閲覧許可が下りるものとする。
【手続補正３８】
【補正対象書類名】明細書
【補正対象項目名】００７９
【補正方法】変更
【補正の内容】
【００７９】
実施形態５の以下の説明では、実施形態５を電子カルテシステムに適用し、医療機関Ａが認証サーバ１に電子カルテを登録した後に、医療機関Ｂの看護師が閲覧装置２を用いて閲覧を行うにあたり、医療機関Ｂの看護師が閲覧装置２を用いて閲覧要求を行い、医療機関Ｂの医者が携帯電話３を用いて認証を行うものとする。そして、医療機関Ｂの医者の携帯電話３からの認証が行われる前に、医療機関Ａの医者の携帯電話４からの閲覧許可が下りるものとする。
【手続補正３９】
【補正対象書類名】明細書
【補正対象項目名】０１０２
【補正方法】削除
【補正の内容】
【手続補正４０】
【補正対象書類名】明細書
【補正対象項目名】０１０３
【補正方法】削除
【補正の内容】
【手続補正４１】
【補正対象書類名】明細書
【補正対象項目名】０１０４
【補正方法】削除
【補正の内容】
【手続補正４２】
【補正対象書類名】明細書
【補正対象項目名】０１０５
【補正方法】削除
【補正の内容】
【手続補正４３】
【補正対象書類名】明細書
【補正対象項目名】０１０６
【補正方法】削除
【補正の内容】
【手続補正４４】
【補正対象書類名】明細書
【補正対象項目名】０１０７
【補正方法】削除
【補正の内容】
【手続補正４５】
【補正対象書類名】明細書
【補正対象項目名】０１０８
【補正方法】削除
【補正の内容】
【手続補正４６】
【補正対象書類名】明細書
【補正対象項目名】０１０９
【補正方法】削除
【補正の内容】
【手続補正４７】
【補正対象書類名】明細書
【補正対象項目名】０１１０
【補正方法】削除
【補正の内容】
【手続補正４８】
【補正対象書類名】明細書
【補正対象項目名】０１１１
【補正方法】削除
【補正の内容】
【手続補正４９】
【補正対象書類名】明細書
【補正対象項目名】０１１２
【補正方法】削除
【補正の内容】
【手続補正５０】
【補正対象書類名】明細書
【補正対象項目名】０１１３
【補正方法】削除
【補正の内容】
【手続補正５１】
【補正対象書類名】明細書
【補正対象項目名】０１１４
【補正方法】削除
【補正の内容】
【手続補正５２】
【補正対象書類名】明細書
【補正対象項目名】０１１５
【補正方法】削除
【補正の内容】
【手続補正５３】
【補正対象書類名】明細書
【補正対象項目名】０１１６
【補正方法】削除
【補正の内容】
【手続補正５４】
【補正対象書類名】明細書
【補正対象項目名】０１１７
【補正方法】削除
【補正の内容】
【手続補正５５】
【補正対象書類名】明細書
【補正対象項目名】０１１８
【補正方法】削除
【補正の内容】
【手続補正５６】
【補正対象書類名】明細書
【補正対象項目名】０１２０
【補正方法】削除
【補正の内容】
【手続補正５７】
【補正対象書類名】明細書
【補正対象項目名】０１２１
【補正方法】変更
【補正の内容】
【０１２１】
１：認証サーバ
２：閲覧装置
３、４：携帯電話
１１：コンテンツ格納部
１２：データ通信部
１３：認証要求部
１４：閲覧認証部
１５：閲覧確認部
１６：閲覧登録部
【手続補正５８】
【補正対象書類名】図面
【補正対象項目名】図１５
【補正方法】削除
【補正の内容】
【手続補正５９】
【補正対象書類名】図面
【補正対象項目名】図１６
【補正方法】削除
【補正の内容】
【手続補正６０】
【補正対象書類名】図面
【補正対象項目名】図１７
【補正方法】削除
【補正の内容】
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
コンテンツが、前記コンテンツの閲覧者と異なる前記コンテンツの登録者により登録されているとともに、暗号化されており、
前記コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、
前記サーバが、前記コンテンツの登録者の携帯電話に対し、前記登録を前記サーバに求めるための認証を要求する登録者認証要求ステップと、
前記コンテンツの登録者の携帯電話が、前記サーバに対して行われる、前記登録を前記サーバに求めるための認証を取得する登録者認証実行ステップと、
前記閲覧装置が、前記サーバに対し、前記コンテンツの閲覧を要求する閲覧要求ステップと、
前記サーバが、前記閲覧装置又は前記コンテンツの閲覧者の携帯電話に対し、前記コンテンツの閲覧を許可するための認証を要求する認証要求ステップと、
前記コンテンツの閲覧者の携帯電話が、前記サーバに対して行われる、前記閲覧装置での前記コンテンツの閲覧を許可するための認証を取得するとともに、暗号化された前記コンテンツを復号化するパスワードを前記サーバに送信する認証実行ステップと、
前記コンテンツの閲覧を許可するための認証が成功したときに、前記登録に基づき、前記サーバが、前記閲覧装置に対し、前記コンテンツを閲覧させる閲覧許可ステップと、
を順に備えることを特徴とする閲覧認証方法。
【請求項２】
コンテンツが、前記コンテンツの閲覧者と異なる前記コンテンツの登録者により登録されているとともに、暗号化されており、
前記コンテンツの登録者の携帯電話が、前記コンテンツを閲覧させるサーバに対し、前記コンテンツを閲覧する閲覧装置での前記コンテンツの閲覧を許可する旨の登録を要求する登録要求ステップと、
前記サーバが、前記コンテンツの登録者の携帯電話に対し、前記登録を前記サーバに求めるための認証を要求する登録者認証要求ステップと、
前記コンテンツの登録者の携帯電話が、前記サーバに対して行われる、前記登録を前記サーバに求めるための認証を取得する登録者認証実行ステップと、
前記コンテンツの閲覧者の携帯電話が、前記サーバに対し、前記コンテンツの閲覧を要求する閲覧要求ステップと、
前記サーバが、前記コンテンツの閲覧者の携帯電話に対し、前記コンテンツの閲覧を許可するための認証を要求する認証要求ステップと、
前記コンテンツの閲覧者の携帯電話が、前記サーバに対して行われる、前記閲覧装置での前記コンテンツの閲覧を許可するための認証を取得するとともに、暗号化された前記コンテンツを復号化するパスワードを前記サーバに送信する認証実行ステップと、
前記コンテンツの閲覧を許可するための認証が成功したときに、前記登録に基づき、前記サーバが、前記閲覧装置に対し、前記コンテンツを閲覧させる閲覧許可ステップと、
を順に備えることを特徴とする閲覧認証方法。
【請求項３】
コンテンツが、前記コンテンツの閲覧者と異なる前記コンテンツの登録者により登録されているとともに、暗号化されており、
前記コンテンツの閲覧者の携帯電話が、前記コンテンツを閲覧させるサーバに対して行われる、前記コンテンツを閲覧する閲覧装置での前記コンテンツの閲覧を許可するための認証を取得するとともに、暗号化された前記コンテンツを復号化するパスワードを前記サーバに送信する認証実行ステップと、
前記コンテンツの閲覧を許可するための認証が成功したときに、前記サーバが、前記コンテンツの登録者の携帯電話に対し、前記コンテンツの閲覧の可否を確認する閲覧確認ステップと、
前記コンテンツの登録者の携帯電話が、前記サーバに対し、前記コンテンツの閲覧の可否を通知する閲覧通知ステップと、
前記コンテンツの閲覧の許可が通知されたときに、前記サーバが、前記閲覧装置に対し、前記コンテンツを閲覧させる閲覧許可ステップと、
を順に備えることを特徴とする閲覧認証方法。
【請求項４】
コンテンツが、前記コンテンツの閲覧者と異なる前記コンテンツの登録者により登録されているとともに、暗号化されており、
前記コンテンツの閲覧者の携帯電話が、前記コンテンツを閲覧させるサーバに対して行われる、前記コンテンツを閲覧する閲覧装置での前記コンテンツの閲覧を許可するための認証を取得する認証実行ステップと、
前記コンテンツの閲覧を許可するための認証が成功したときに、前記サーバが、前記コンテンツの登録者の携帯電話に対し、前記コンテンツの閲覧の可否を確認する閲覧確認ステップと、
前記コンテンツの登録者の携帯電話が、前記サーバに対し、前記コンテンツの閲覧の許可を通知するときに、暗号化された前記コンテンツを復号化するパスワードを送信する閲覧通知ステップと、
前記コンテンツの閲覧の許可が通知されたときに、前記サーバが、前記閲覧装置に対し、前記コンテンツを閲覧させる閲覧許可ステップと、
を順に備えることを特徴とする閲覧認証方法。
【請求項５】
前記閲覧装置が、前記サーバに対し、前記コンテンツの閲覧を要求する閲覧要求ステップと、
前記サーバが、前記閲覧装置又は前記コンテンツの閲覧者の携帯電話に対し、前記コンテンツの閲覧を許可するための認証を要求する認証要求ステップと、
を前記認証実行ステップの前に順に備えることを特徴とする、請求項３又は請求項４に記載の閲覧認証方法。
【請求項６】
前記コンテンツの閲覧者の携帯電話が、前記サーバに対し、前記コンテンツの閲覧を要求する閲覧要求ステップと、
前記サーバが、前記コンテンツの閲覧者の携帯電話に対し、前記コンテンツの閲覧を許可するための認証を要求する認証要求ステップと、
を前記認証実行ステップの前に順に備えることを特徴とする、請求項３又は請求項４に記載の閲覧認証方法。
【請求項７】
前記閲覧許可ステップでは、前記サーバは、前記コンテンツが復号化された後に、前記パスワードを消去することを特徴とする、請求項１から請求項６のいずれかに記載の閲覧認証方法。